(57)【要約】【課題】  看護者等がベッド上の患者にアプローチする際や、離床していた患者がベッド上に上ろうとする際には、目視で確認し難い個所である基台フレームの構築用部材である鋼材に足を当てやすく、従来の構築用部材は、溝型鋼や角パイプのいずれであっても直角の４つの稜を有しているので、足等がこの稜に当り、怪我をする恐れがあるのに対して、従来は特別な対策を行っていない。【解決手段】  そこで本発明では、横断面形状において、縦方向に配置された直線状の第１の辺１ａと、第１の辺の上下端部から夫々横方向に形成された直線状の第２及び第３の辺１ｂ，１ｃと、第２の辺と第３の辺の端部間に形成された第４１ｄの辺を有するパイプ部材１において、第３の辺は第２の辺よりも短く形成することにより、第４の辺の少なくとも下側の一部を傾斜させた構成とし、第２と第４の辺及び第３と第４の辺の間に丸み３を形成したフレーム構築用パイプ部材を提案している。【選択図】    図１
2005349015.tif 000002
【特許請求の範囲】
【請求項１】
横断面形状において、縦方向に配置された直線状の第１の辺と、第１の辺の上下端部から夫々横方向に形成された直線状の第２及び第３の辺と、第２の辺と第３の辺の端部間に形成された第４の辺を有するパイプ部材において、第３の辺は第２の辺よりも短く形成することにより、第４の辺の少なくとも下側の一部を傾斜させた構成とし、第２と第４の辺及び第３と第４の辺の間に丸みを形成したことを特徴とするベッド等の仰臥台におけるフレーム構築用パイプ部材
【請求項２】
第１の辺の厚さを、他の辺よりも厚く形成したことを特徴とする請求項１に記載のベッド等の仰臥台におけるフレーム構築用パイプ部材
【請求項３】
第１、第２、第３及び第４の辺によって囲まれた空間内にリブを形成したことを特徴とする請求項１又は２に記載のベッド等の仰臥台におけるフレーム構築用パイプ部材
【請求項４】
パイプ部材はアルミニウムの押出し材として構成したことを特徴とする請求項１〜３のいずれか１項に記載のベッド等の仰臥台におけるフレーム構築用パイプ部材
【請求項５】
請求項１〜４のいずれかに記載のフレーム構築用パイプ部材を仰臥台の長手方向に対応させ、第１の辺に対応する第１の面を対向させて平行に配置し、これらの第１の面を結合部材により結合して構成したことを特徴とするベッド等の仰臥台のフレーム
【請求項６】
フレームはパイプ部材が仰臥台の長手方向に対応する基台フレームであることを特徴とする請求項５に記載のベッド等の仰臥台のフレーム
【請求項７】
フレームはパイプ部材が仰臥台の長手方向に対応する床支持フレームであることを特徴とする請求項５に記載のベッド等の仰臥台のフレーム
【発明の詳細な説明】
【技術分野】
【０００１】
本発明は、ベッドやストレッチャー等の仰臥台において、床部を支持するための床支持フレームや、この床支持フレームを昇降可能に支持するための基台フレームを構築するためのフレーム構築用パイプ部材及びベッド等の仰臥台におけるフレームに関するものである。
【背景技術】
【０００２】
従来、例えばベッドの床部を支持するための床支持フレームや、この床支持フレームを昇降可能に支持するための基台フレームを構築するためのフレーム構築用部材、特にベッドの長手方向に対応するフレーム構築用部材としては、例えば特許文献１，２等に示される溝型鋼や、特許文献３に示されるような角パイプ等の鋼材が主として用いられている。
【特許文献１】実開昭６２−１３９３６１号公報
【特許文献２】特開平７−１６１３２号公報
【特許文献３】実開昭６２−１４２３２８号公報
【発明の開示】
【発明が解決しようとする課題】
【０００３】
例えば介護・看護の現場において、床支持フレームを昇降可能に支持する基台フレームにキャスターを設けて台車として構成したベッドを考えた場合、介助・看護者がベッド上の患者にアプローチする際や、離床していた患者がベッド上に上ろうとする際には、目視で確認し難い個所である基台フレームの構築用部材である鋼材、特にベッドの長手方向の鋼材に足を当てやすい。またベッド上の患者が離床する際にベッド上で端座位を取る際には、ベッドの長手方向の鋼材にかかとを当てやすい。
【０００４】
これに対して従来のフレーム構築用部材は、溝型鋼や角パイプのいずれであっても角度が直角の４つの稜を有しているので、足等がこの稜に当り、怪我をする恐れがあるのに対して、従来は特別な対策を行っていない。
【０００５】
一方、近来、ベッド等は軽量化が進められているが、今後、更に軽量化が求められた場合において、鋼材では、その軽量化に限度がある。
本発明は、以上の課題を解決することを目的とするものである。
【課題を解決するための手段】
【０００６】
上述した課題を解決するために、本発明では、横断面形状において、縦方向に配置された直線状の第１の辺と、第１の辺の上下端部から夫々横方向に形成された直線状の第２及び第３の辺と、第２の辺と第３の辺の端部間に形成された第４の辺を有するパイプ部材において、第３の辺は第２の辺よりも短く形成することにより、第４の辺の少なくとも下側の一部を傾斜させた構成とし、第２と第４の辺及び第３と第４の辺の間に丸みを形成したベッド等の仰臥台におけるフレーム構築用パイプ部材を提案する。
【０００７】
また本発明では、上記構成において、第１の辺の厚さを、他の辺よりも厚く形成することを提案する。
【０００８】
また本発明では、以上の構成において、第１、第２、第３及び第４の辺によって囲まれた空間内にリブを形成することを提案する。
【０００９】
また本発明では、以上の構成において、パイプ部材はアルミニウムの押出し材として構成することを提案する。
【００１０】
次に本発明では、以上の構成のフレーム構築用パイプ部材を用い、このパイプ部材を、仰臥台の長手方向に対応させ、第１の辺に対応する第１の面を対向させて平行に配置し、これらの第１の面を結合部材により結合して構成したベッド等の仰臥台のフレームを提案する。
【００１１】
そして本発明により構成するフレームは、パイプ部材が仰臥台の長手方向に対応する基台フレームや床支持フレームとすることを提案する。
【発明の効果】
【００１２】
本発明のパイプ部材により構成したフレームでは、仰臥台の長手方向に対応するパイプ部材の、外側に向いている第４の辺が、少なくとも、その下側の一部を傾斜させた構成としており、また第２と第４の辺及び第３と第４の辺の間に丸みを形成しているので、ここに人の足が当たったとしても、その面圧を分散させるため痛みや怪我の恐れが低減する。
【００１３】
本発明では、パイプ部材の直線状の第１の辺を縦方向に配置してフレームを構成するので、第２、第３及び第４の辺の上記構成にもかかわらず曲げ剛性の低下を抑制することができ、十分な強度の仰臥台のフレームを構成することができる。
【００１４】
特に、パイプ部材の第１の辺の厚さを、他の辺よりも厚くする構成の場合には、必要最小限の重量の増加において曲げ剛性を効果的に大きくすることができ、以て仰臥台のフレームとしての強度を必要最小限の重量の増加で効果的に達成することができると共に、フレームを構成する際の他の部材との溶接性を向上させることができる。
【００１５】
本発明のパイプ部材では、必要に応じて第１、第２、第３及び第４の辺によって囲まれた空間内にリブを形成することにより、強度の更なる増加を図ることができる。
【００１６】
本発明のパイプ部材では、その断面形状が、溝型鋼や角パイプのような単純な断面形状ではないが、アルミニウムの押出し材として、容易に製造することができ、これにより仰臥台の軽量化を図ることができると共に、長さを容易に変更できるため、各種の仰臥台の部材として共用化することができ、自由度が高い。またこのようなアルミニウムの押出し材として構成することにより、アルミニウム特有の表面仕上げを行うことができ、意匠性を高めることができる。
【実施例１】
【００１７】
次に本発明の実施例を添付図面を参照して説明する。
図１は本発明に係るフレーム構築用のパイプ部材の実施例を示すものであり、また図２は、このパイプ部材を用いて構築したベッドの基台フレームの一例図、図３は図２のＡ−Ａ線矢視断面図、そして図４は図２の基台フレームを構成要素としたベッドの一例を示す斜視図である。また図５はパイプ部材の他の実施例を示すものである。
【００１８】
図１において、符号１はパイプ部材であり、このパイプ部材１は図１に示すように、横断面形状において、縦方向に配置された直線状の第１の辺１ａと、第１の辺１ａの上下端部から夫々横方向に形成された直線状の第２の辺１ｂ及び第３の辺１ｃと、第２の辺１ｂと第３の辺１ｃの端部間に形成された第４の辺１ｄを有するもので、第３の辺１ｃは第２の辺１ｂよりも短く形成することにより、第４の辺１ｄの少なくとも下側の一部２を傾斜させた構成としており、また第２の辺１ｂと第４の辺１ｄ及び第３の辺１ｃと第４の辺１ｄの間に丸み３を形成している。また第１の辺の厚さＤは他の辺１ｂ，１ｃ，１ｄの厚さｄよりも厚く形成している。尚、図中、符号４ａ，４ｂ，４ｃ，４ｄは、横断面形状の夫々の辺１ａ，１ｂ，１ｃ，１ｄに対応する第１，第２，第３及び第４の面を示すものである。
【００１９】
このような横断面形状のパイプ部材１を、この実施例ではアルミニウムの押出し材として構成している。アルミニウムの押出し材は、断面形状に対しての制約が少ないので、上述した断面形状を容易に実現することができ、その他のバリエーションも可能である。
【００２０】
例えば図５に示す実施例では、図１の実施例と同様な第１，第２，第３及び第４の辺１ａ，１ｂ，１ｃ，１ｄを有すると共に、これらの辺によって囲まれた空間内に十字状のリブ５を形成している。
【００２１】
図２に示すように、本発明では以上の構成のパイプ部材１を用い、このパイプ部材１を、ベッド等の長手方向に対応させ、第１の辺１ａに対応する第１の面４ａを対向させて平行に配置し、これらの第１の面４ａを結合部材６により結合してベッド等の仰臥台のフレーム７を構築する。結合部材６は図２に示すような筒形状や溝型状の適宜の構築部材を用いることができ、これらの結合部材６も鋼製ではなく、アルミニウムの押出し材とすれば、更なる軽量化を図ることができる。
【００２２】
尚、この実施例において、フレーム７は、ベッドの床支持フレームを昇降可能に支持する基台フレームであり、符号８は基台フレーム７の上方に床支持フレームを昇降可能に支持する回動駆動腕の固定部材である。
【００２３】
次に、図２の基台フレーム７を構成要素としたベッド９の一例を図４を参照して説明する。
符号１０は床支持フレームであり、この床支持フレーム１０には、すのこ状の背ボトム１１、腰ボトム１２及び足ボトム１３を回動可能に支持して、起伏可能に構成している。また床支持フレーム１０に突設した固定部材１４と、上記基台フレーム７の固定部材８間に回動駆動腕１５を連結しており、この回動駆動腕１５の回動により床支持フレーム１０を昇降可能に構成している。
このように床支持フレーム１０を昇降可能とし、ボトムを起伏可能とする機構は、周知であるので詳細な説明は省略する。
【００２４】
この実施例のベッド９では、図４に示すように、基台フレーム７は、パイプ部材１の両端の個所、即ち４個所において、脚部材１５により床面から所定の高さに支持するように構成している。この脚部材１５は図４においては、固定式に示しているが、これを車輪とすることができることは勿論である。
【００２５】
以上の構成において、介助・看護者がベッド９上の患者にアプローチする際や、離床していた患者がベッド９上に上ろうとする際には、目視で確認し難い個所である基台フレーム７の構築用部材、特にベッド９の長手方向の構築用部材、即ち、この場合、パイプ部材１に足を当てやすい。またベッド９上の患者が離床する際にベッド９上で端座位を取る際には、このパイプ部材１にかかとを当てやすい。
【００２６】
しかしながら、本発明のパイプ部材１により構成した基台フレーム７では、パイプ部材１の、外側に向いている第４の辺１ｄに対応する第４の面４ｄが、少なくとも、その下側の一部を傾斜させた構成としており、また第２と第４の辺１ｂ，１ｄの間及び第３と第４の辺１ｃ，１ｄの間に丸みを形成していて、これらに対応する面が曲面で形成されているので、ここに人の足が当たったとしても、その面圧を分散させるため痛みや怪我の恐れが低減する。
【００２７】
ここで、パイプ部材１において、第１と第２の辺１ａ，１ｂの間及び第１と第３の辺１ａ，１ｃの間にも適宜の丸みを形成すれば、組立や搬入搬出時に際してパイプ部材１が持ちやすくなり、手が痛くならない。
【００２８】
また基台フレーム７は、パイプ部材１の直線状の第１の辺１ａを縦方向に配置して構成するので、第２、第３及び第４の辺１ｂ，１ｃ，１ｄの上記構成にもかかわらず曲げ剛性の低下を抑制することができ、十分な強度のベッド９の基台フレーム７を構成することができる。
【００２９】
特に、この実施例では、パイプ部材１の第１の辺１ａの厚さを、他の辺１ｂ，１ｃ，１ｄよりも厚くしているので、必要最小限の重量の増加において曲げ剛性を効果的に大きくすることができ、以てベッド９の基台フレーム７としての強度を必要最小限の重量の増加で効果的に達成することができると共に、基台フレーム７を構成する際の結合部材６との溶接性を向上させることができる。
【００３０】
また、パイプ部材１は、必要に応じて第１、第２、第３及び第４の辺１ａ，１ｂ，１ｃ，１ｄによって囲まれた空間内にリブ５を設けることにより、強度の更なる増加を図ることができる。そして、このように、リブ５を設けた構成においては、第１、第２、第３及び第４の辺１ａ，１ｂ，１ｃ，１ｄの厚さを等しくすることも可能である。
【００３１】
以上に説明した実施例では、本発明のパイプ部材１によって構成したフレームはベッド９の基台フレーム７であるが、この他、床支持フレーム１０にも適用できることは勿論である。また本発明が適用できる仰臥台は、ベッドの他、ストレッチャーや小児ベッド等、適宜である。
【産業上の利用可能性】
【００３２】
本発明は以上の通りであるので、産業上の利用において、次のような利点がある。
１．パイプ部材は、その断面形状が、溝型鋼や角パイプのような単純な断面形状ではないが、アルミニウムの押出し材として、容易に製造することができ、これにより仰臥台の軽量化を図ることができる。
２．長さを容易に変更できるため、各種の仰臥台の部材として共用化することができ、自由度が高い。
３．アルミニウムの押出し材として構成することにより、アルミニウム特有の表面仕上げを行うことができ、意匠性を高めることができる。
【図面の簡単な説明】
【００３３】
【図１】本発明に係るフレーム構築用のパイプ部材の実施例を示す要部斜視図である。
【図２】図１のパイプ部材を用いて構築したベッドの基台フレームの一例を示す斜視図である。
【図３】図２のＡ−Ａ線矢視断面図である。
【図４】図２の基台フレームを構成要素としたベッドの一例を示す斜視図である。
【図５】本発明に係るフレーム構築用のパイプ部材の他の実施例を示す要部斜視図である。
【符号の説明】
【００３４】
１              パイプ部材
１ａ            第１の辺
１ｂ            第２の辺
１ｃ            第３の辺
１ｄ            第４の辺
２                一部（傾斜）
３ａ，３ｂ        丸み
４                パイプ部材の面
４ａ              第１の面
４ｂ              第２の面
４ｃ              第３の面
４ｄ              第４の面
５                リブ
６                結合部材
７                フレーム（基台フレーム）
８                固定部材
９                ベッド
１０              床支持フレーム
１１              背ボトム
１２              腰ボトム
１３              足ボトム
１４              固定部材
１５              回動駆動腕
１６              脚部材
【図１】
2005349015.tif 000003
【図２】
2005349015.tif 000004
【図３】
2005349015.tif 000005
【図４】
2005349015.tif 000006
【図５】
2005349015.tif 000007